(57)【要約】【課題】鳥類や昆虫類による被害を防止できる鳥類害・昆虫害防止装置を提供すること。【解決手段】鳥類害・昆虫害防止装置１０では、水中ポンプ２によって送水ラインＬ２を介して原水Ｗを送水し、原水Ｗにより水面Ｓ上方の吸気口３ａから大気中の空気Ａを吸い込み、その空気Ａをエジェクタ４で原水Ｗと混合する一方、送水ラインＬ２から分岐して設けた噴水ノズル５により、吸気口３ａを覆うように原水Ｗを噴水する。このように吸気口３ａを噴水で覆うことにより、鳥類や昆虫類が吸気口３ａに寄り付き難い環境を形成し、鳥類や昆虫類による被害を防止する。【選択図】図１
2010200687.tif 000002
【特許請求の範囲】
【請求項１】
水中から原水を取水し、送水ラインを介して前記原水を送水する送水手段と、
前記送水ラインに設けられ、水面の上方に配置された吸気口より空気を吸い込み前記原水と前記空気とを混合させる気液混合部と、
前記送水手段と前記気液混合部との間の送水ラインから分岐して前記原水の一部が供給され、前記吸気口を覆うように前記原水の一部を噴水する噴水手段と、
を備えることを特徴とする、鳥類害・昆虫害防止装置。
【請求項２】
前記気液混合部は水面の上方に設けられ、
前記噴水手段は、前記吸気口及び前記気液混合部を覆うように噴水することを特徴とする、請求項１記載の鳥類害・昆虫害防止装置。
【請求項３】
請求項１又は２記載の鳥類害・昆虫害防止装置を備え、前記気液混合部からの空気含有原水を水中に送水することを特徴とする、水質浄化装置。
【発明の詳細な説明】
【技術分野】
【０００１】
本発明は、鳥類害・昆虫害防止装置及びこれを備えた水質浄化装置に関する。
【背景技術】
【０００２】
従来、例えば特開２００２−９６０８９号公報に記載されたような水質浄化装置が知られている。この装置では、池や湖沼等に水中ポンプを設け、水中ポンプの送水配管を水面より上に一旦露出させ、その露出部分に設けた気液混合部に大気開放の空気吸気口を設け、ポンプによって送られた原水と、当該原水により空気吸気口を通して吸引した大気中の空気とを気液混合部で混合し水中に噴出させることにより、水勢を失わない曝気・撹拌を行うようにしている。
【先行技術文献】
【特許文献】
【０００３】
【特許文献１】特開２００２−９６０８９号公報
【発明の概要】
【発明が解決しようとする課題】
【０００４】
しかしながら、特許文献１に記載の水質浄化装置においては、水面より上に設けられた空気吸気口を有する配管類に鳥類や昆虫等がしばしば飛来し、鳥類が羽を休める所謂止まり木になったり、その糞等により装置の美観が損なわれたり、また、昆虫類が空気吸気口に吸い込まれて閉塞するといった問題があった。
【０００５】
そこで本発明の目的は、鳥類や昆虫類による被害を防止できる鳥類害・昆虫害防止装置及びこれを備えた水質浄化装置を提供することにある。
【課題を解決するための手段】
【０００６】
本発明の鳥類害・昆虫害防止装置は、水中から原水を取水し、送水ラインを介して原水を送水する送水手段と、送水ラインに設けられ、水面の上方に配置された吸気口より空気を吸い込み原水と空気とを混合させる気液混合部と、送水手段と気液混合部との間の送水ラインから分岐して原水の一部が供給され、吸気口を覆うように原水の一部を噴水する噴水手段と、を備えることを特徴とする。
【０００７】
この鳥類害・昆虫害防止装置によれば、送水手段によって送水ラインを介して原水が送水され、この原水により水面上方の吸気口から大気中の空気が吸い込まれ、その空気が気液混合部で原水と混合される一方、送水ラインから分岐して設けられた噴水手段により吸気口を覆うように原水が噴水される。このように吸気口が噴水に覆われることにより、鳥類や昆虫類が吸気口に寄り付き難い環境を形成でき、鳥類や昆虫類による被害を防止できる。
【０００８】
また、本発明の鳥類害・昆虫害防止装置において、気液混合部は水面の上方に設けられ、噴水手段は、吸気口及び気液混合部を覆うように噴水することが好ましい。このようにすれば、水面の上方に設けられた気液混合部も噴水によって覆われるため、この気液混合部に対しても鳥類や昆虫類が寄り付き難くすることができ、鳥類や昆虫類による被害を防止できると共に、噴水のみが設けられているように視認されて美観の向上が図られる。
【０００９】
また、本発明の水質浄化装置は、上記の鳥類害・昆虫害防止装置を備え、気液混合部からの空気含有原水を水中に送水することを特徴とする。この水質浄化装置によれば、大気中の空気と混合された原水である空気含有原水が水中に送水されることにより、水中が曝気・撹拌されて水質の浄化が図られると共に、上記の鳥類害・昆虫害防止装置の作用・効果により鳥類や昆虫類による被害を防止できる。
【発明の効果】
【００１０】
本発明によれば、鳥類や昆虫類による被害を防止できる。
【図面の簡単な説明】
【００１１】
【図１】本発明の一実施形態に係る水質浄化装置を示す概略構成図である。
【図２】本発明の他の実施形態に係る水質浄化装置を示す概略構成図である。
【発明を実施するための形態】
【００１２】
以下、本発明による鳥類害・昆虫害防止装置及びこれを備えた水質浄化装置の好適な実施形態について図面を参照しながら説明する。なお、図面の説明において同一要素には同一符号を付し、重複する説明は省略する。
【００１３】
図１は、本発明の一実施形態に係る鳥類害・昆虫害防止装置を備えた水質浄化装置を示す概略構成図である。この水質浄化装置１は、池や湖沼等の自然水域あるいは工場の貯水槽等に設置されてその水質の浄化を行う装置であり、次の構成要素を備えている。
【００１４】
すなわち、水質浄化装置１は、水中から原水Ｗを取水し、送水ラインＬ２を介して原水Ｗを送水する水中ポンプ（送水手段）２と、送水ラインＬ２に設けられ、水面Ｓの上方に配置された吸気口３ａより空気Ａを吸い込み原水Ｗと空気Ａとを混合させ空気含有原水ＷＡを生じるエジェクタ（気液混合部）４と、水中ポンプ２とエジェクタ４との間の送水ラインＬ２から分岐して原水Ｗの一部が供給され、吸気口３ａを覆うように原水Ｗの一部を噴水する噴水ノズル（噴水手段）５と、エジェクタ４から送水ラインＬ２を介して送られる空気含有原水ＷＡを水中に送水するための吐出口６と、を備えている。
【００１５】
水中ポンプ２は、水底Ｂに設置された取付架台７に取り付けられて、水底Ｂ付近の原水を所定の流量にて取水し送水するものである。この水中ポンプ２は、エジェクタ４における気液混合、噴水ノズル５における噴水、及び吐出口６における空気含有原水ＷＡの送水に必要とされる圧力及び流量にて吐出しうる能力を備えている。この水中ポンプ２としては、特に種類は限定されないが、例えばカッター付渦巻水中ポンプを用いることができる。なお、水中ポンプ２を作動させるための分電ボックスや操作盤等（図示せず）は、地上に配置される。
【００１６】
エジェクタ４は、水面Ｓの上方に設けられて、その内部を流れる原水の水流によって生じる負圧状態を利用して、その側面に接続された吸気ラインＬ３を介して吸気口３ａより大気中の空気Ａを吸い込み、空気Ａと混合された原水である空気含有原水ＷＡを生じるものである。このエジェクタ４は、吸い込んだ空気Ａを超微細な気泡である所謂マイクロバブルの状態に変換して原水Ｗに混合させるマイクロバブル発生部としての機能を有している。
【００１７】
吸気口３ａは、吸気ラインＬ３に接続されその先端部にフィルタを有するエアブリーザ３の吸気口を構成しており、エジェクタ４の吸引作用により、エアブリーザ３を通して空気Ａが吸気可能とされている。このエアブリーザ３は、水や異物の進入を阻止する機能を有している。さらに、エアブリーザ３の吸気口３ａを雨等から保護するカバー８が、エアブリーザ３の上方近傍に位置するように、図示しないステーによって取り付けられている。また、吸気ラインＬ３において、吸気口３ａとエジェクタ４との中間部には、エアブリーザ３で阻止しきれずに進入した異物を除去するストレーナ９が設けられている。
【００１８】
噴水ノズル５は、水中ポンプ２とエジェクタ４との間の送水ラインＬ２から分岐して設けられた噴水ラインＬ５の先端に取り付けられて、噴水ラインＬ５を介して供給される原水Ｗの一部を噴水するものである。この噴水ノズル５の取り付け位置は、吸気口３ａの近傍であり、吸気口３ａの側方かつ上方の位置とされている。噴水ノズル５としては、例えばベル型の噴水ノズルを用いることができ、この噴水ノズル５からの噴水はドーム状の水膜を形成可能とされている。
【００１９】
吐出口６は、エジェクタ４の下流側において水底Ｂ付近まで延在させた送水ラインＬ２の先端に取り付けられて、エジェクタ４からの空気含有原水ＷＡを吐出して水底Ｂ付近に撹拌流を生じると共に水中に空気を供給するものである。この吐出口６としては、例えばステンレス製の逆円錐形管材を用いることができる。なお、送水ラインＬ２としてサニーホース等を用いる場合、この吐出口６は、自重で水中に垂下することにより送水ラインＬ２の位置を安定させるウェイトとしても機能しうる。
【００２０】
そして、これらの水中ポンプ２、吸気口３ａ、エジェクタ４、及び噴水ノズル５等により、鳥類や昆虫類による被害から装置を保護するための鳥類害・昆虫害防止装置１０が構成されている。
【００２１】
このような本実施形態の水質浄化装置１では、水中ポンプ２によって送水ラインＬ２を介して原水Ｗが送水され、この原水Ｗにより水面Ｓ上方の吸気口３ａから大気中の空気Ａが吸い込まれ、その空気Ａがエジェクタ４で原水Ｗと混合されて空気含有原水ＷＡが水中に送水されることにより水中が曝気・撹拌されて水質の浄化が図られる一方、送水ラインＬ２から分岐して設けられた噴水ノズル５により、水面Ｓより上方に位置しているカバー８、吸気口３ａ及びエジェクタ４等を覆うように、原水Ｗがドーム状の水膜を形成して噴水される。
【００２２】
このように、水質浄化装置１によれば、吸気口３ａが噴水に覆われることにより、鳥類や昆虫類が吸気口３ａに寄り付き難い環境を形成でき、鳥類や昆虫類による被害を防止できる。なお、噴水が太陽光等に照らされて生じる光の乱反射により、鳥類がより一層寄り付き難くなるという作用もある。
【００２３】
また、この水質浄化装置１によれば、水面Ｓの上方に設けられたエジェクタ４も噴水によって覆われるため、このエジェクタ４に対しても鳥類や昆虫類が寄り付き難くすることができ、鳥類や昆虫類による被害を防止できると共に、噴水のみが設けられているように視認されて美観の向上が図られる。
【００２４】
さらに、この水質浄化装置１によれば、大気中の空気Ａがマイクロバブルの状態で原水Ｗに混合されるため、高い酸素溶解効率にて水中が曝気・撹拌されて、より一層効果的な水質の浄化が図られる。
【００２５】
また、この水質浄化装置１によれば、噴水ノズル５からの噴水により装置の稼働状態を陸上からでも容易に視認することができる。
【００２６】
図２は、本発明の他の実施形態に係る鳥類害・昆虫害防止装置を備えた水質浄化装置を示す概略構成図である。
【００２７】
この水質浄化装置２０が図１に示す水質浄化装置１と違う点は、鳥類害・昆虫害防止装置１０に代えて、水中ポンプ２を水面Ｓに浮遊するフロート式架台１１に取り付けてなる鳥類害・昆虫害防止装置３０を用いた点である。このフロート式架台１１は、水中ポンプ２が設置される筺体部１１ａと、水中ポンプ２が水没し筺体部１１ａが水面Ｓ付近で浮遊状態となるように当該筺体部１１ａに浮力を与え保持するフロート部１１ｂとから構成されている。
【００２８】
この筺体部１１ａは、外形が直方体形状の中空の筺体であり、金属製板材及びフレームから構成されている。この筺体部１１ａの各側面はパンチングメタルやエキスパンドメタル等の有孔板材からなり、底面は薄板部材からなり、また上面は外部開放とされている。なお、この筺体部１１ａは外形が円柱形状の筺体であってもよい。また、フロート部１１ｂは、例えば円筒や円柱形状の樹脂製部材や木材等から構成されており、筺体部１１ａの上部四隅に固定されている。さらに、筺体部１１ａやフロート部１１ｂにおいて、その表面に光触媒塗装や光触媒コーティングを施せば、藻類の繁殖や汚れの付着が抑制される。
【００２９】
このように構成された水質浄化装置２０では、フロート式架台１１に水中ポンプ２を設置することで、水中ポンプ２及びフロート式架台１１は水面Ｓ付近を浮遊しながら、水中ポンプ２による取水が可能となる。このような水質浄化装置２０にあっても、水質浄化装置１と同様の作用・効果が奏される。なお、筺体部１１ａの各側面がパンチングメタルやエキスパンドメタル等により構成されるため、水中や水面Ｓに浮遊する葉、枝、ビニール等のフロート式架台１１内への進入が防止され、水中ポンプ２による取水が支障なく行われる。
【００３０】
以上、本発明の実施形態について説明したが、本発明は上記実施形態に限定されるものではない。例えば、上記実施形態では、気液混合部としてエジェクタを用いる場合について説明したが、エジェクタタイプに限られず、タンクタイプのマイクロバブル発生器等を気液混合部として用いてもよい。
【００３１】
また、上記実施形態では、噴水手段としてベル型の噴水ノズル５を用いる場合について説明したが、放射状の飛沫を噴水するようなスプレーノズルであってもよい。このような飛沫によれば、ドーム状の水膜と同様に鳥類や昆虫類が寄り付き難い環境を形成できる。また、噴水ラインＬ５の先端に取り付けたキャップに噴水用の穴加工を施した簡易なものであってもよい。
【符号の説明】
【００３２】
１，２０…水質浄化装置、２…水中ポンプ（送水手段）、３ａ…吸気口、４…エジェクタ（気液混合部）、５…噴水ノズル（噴水手段）、１０，３０…鳥類害・昆虫害防止装置、Ａ…空気、Ｌ２…送水ライン、Ｓ…水面、Ｗ…原水、ＷＡ…空気含有原水。
【図１】
2010200687.tif 000003
【図２】
2010200687.tif 000004